(57)【要約】【課題】上食器かごに被洗浄物をセットしたまま、上食器かごを簡単に移動することによって、下食器かごに被洗浄物を容易にセットすることを可能とし、食器洗い機の使い勝手を大幅に向上することを目的とする。【解決手段】洗浄槽２と、被洗浄物８を収容する上食器かご１３と下食器かご１４との上下２段の食器かごとを備え、上食器かご１３は、被洗浄物８をセットする時の姿勢を保ったまま、洗浄槽２に設けた支持部２ａまわりに回動可能に構成した。【選択図】図２
2006081803.tif 000002
【特許請求の範囲】
【請求項１】
洗浄槽と、前記洗浄槽に収納され、被洗浄物を収容する上食器かごと下食器かごとの上下２段の食器かごとを備え、前記上食器かごは、被洗浄物をセットする時の姿勢を保ったまま、前記洗浄槽に設けた支持部まわりに回動可能に構成した食器洗い機。
【請求項２】
上食器かごは上方に膨らんだ略円弧状の軌跡で移動可能とした請求項１記載の食器洗い機。
【請求項３】
洗浄槽に略円弧状の溝部を設け、上食器かごを前記溝部に沿って移動可能とした請求項１または２記載の食器洗い機。
【請求項４】
上食器かごは、洗浄槽の溝部と係合する回転自在な摺動部材を備えた請求項３記載の食器洗い機。
【請求項５】
洗浄槽の溝部に少なくとも１箇所以上の係止部を設けた請求項３または４記載の食器洗い機。
【発明の詳細な説明】
【技術分野】
【０００１】
本発明は、食器等の被洗浄物に洗浄水を噴射して洗浄する食器洗い機に関するものである。
【背景技術】
【０００２】
従来、一般的な食器洗い機は、図６に示すように構成していた。以下、その構成について説明する。
【０００３】
図６に示すように、食器洗い機本体１は、内部に洗浄槽２を設けており、洗浄槽２を前方に引き出すと上方が開放されて、上方から被洗浄物（食器）の出し入れが可能となっている。また、洗浄槽２内へは給水弁３により水または湯を供給するようにしている。ここで、その洗浄水の供給は、水位センサ（図示せず）を利用して適切な水位に設定し、給水弁３からの給水を自動的に止める。
【０００４】
洗浄槽２の底部には排水孔４を設け、この排水孔４に連通し、モータによって駆動される洗浄ポンプ５を取り付け、この洗浄ポンプ５により洗浄水を洗浄槽２の内部に循環するよう構成している。また、排水孔４には残さいを捕集する残さいフィルタ６を具備している。また、洗浄ノズル７と洗浄槽２の底部との間には、洗浄水加熱用のヒータ９を装備し、洗浄ノズル７の上方には、被洗浄物８を整然と配置でき、洗浄水を効果的に被洗浄物８に噴射するように構成した上下２段からなる上食器かご１０と下食器かご１１を設置して効率的に洗浄を行っている。そして、給水弁３や洗浄ポンプ５等の電装部品を駆動、制御する制御手段１２を備えている。
【０００５】
上記構成において動作を説明する。洗浄槽２内に供給された洗浄水は、残さいフィルタ６を通過して洗浄ポンプ５に吸い込まれ、洗浄ポンプ５より洗浄槽２の内底部に設けた洗浄ノズル７に供給される。洗浄ノズル７から噴射された洗浄水は、被洗浄物（食器）８を洗浄した後、再び排水孔４に戻るという経路で循環する。この際、被洗浄物８から脱落した残さい等は、洗浄水とともに残さいフィルタ６に流入し、この残さいフィルタ６を通過できない大きさの残さいは残さいフィルタ６に捕集される。
【０００６】
上食器かご１０の下側部分の下食器かご１１には、背の低い被洗浄物８ａ、上側に上食器かご１０がない下食器かご１１には、背の高い被洗浄物８ｂが配置されている。また、上食器かご１０にはコップ等の小物の被洗浄物８ｃをセットすることが可能である（例えば、特許文献１参照）。
【０００７】
また、上食器かご１０を回動させて折りたためるようにして、その下側部分の下食器かご１１への被洗浄物８ａのセットを容易にした構成の食器洗い機も知られている。
【特許文献１】特開２００２−１７６４３号公報
【発明の開示】
【発明が解決しようとする課題】
【０００８】
しかしながら、このような従来の構成では、洗浄槽の上方から被洗浄物をセットするため、上食器かごを折りたたんで、被洗浄物をセットするときは楽にセットできるが、上食器かごに被洗浄物をセットしてしまっている場合では、その真下にあたる位置に被洗浄物をセットしようとすると、本来は、上食器かごに食器をセットするには下食器かごに被洗浄物をセットしてからになるため、一度上食器かごに置いた被洗浄物を一旦片付けるか、下食器かごをセットし終わるまで、上食器かごに被洗浄物をセットできなくなる。このことは、食事毎や食事の間で飲んだコップ類などの被洗浄物が発生した場合、一度上食器かごに置くのが通例であるので、被洗浄物のセットがしづらく、非常に不便であるという問題があった。
【０００９】
本発明は上記従来の課題を解決するもので、上食器かごに被洗浄物をセットしたまま、上食器かごを簡単に移動することによって、下食器かごに被洗浄物を容易にセットすることを可能とし、食器洗い機の使い勝手を大幅に向上することを目的としている。
【課題を解決するための手段】
【００１０】
本発明は上記目的を達成するために、洗浄槽と、前記洗浄槽に収納され、被洗浄物を収容する上食器かごと下食器かごとの上下２段の食器かごとを備え、前記上食器かごは、被洗浄物をセットする時の姿勢を保ったまま、前記洗浄槽に設けた支持部まわりに回動可能に構成したとしたものである。
【００１１】
これにより、上食器かごに被洗浄物をセットしたまま、上食器かごを簡単に移動することによって、上食器かごの下側への食器のセットを楽に行うことができる。従って、下食器かごの全面に亘って、被洗浄物を容易にセットすることができるので、食器洗い機の使い勝手を大幅に向上することができる。
【発明の効果】
【００１２】
本発明の食器洗い機は、上食器かごに被洗浄物をセットしたまま、上食器かごを簡単に移動することによって、上食器かごの下側の下食器かごに被洗浄物を容易にセットすることができるので、食器洗い機の使い勝手を大幅に向上することができる。
【発明を実施するための最良の形態】
【００１３】
第１の発明は、洗浄槽と、前記洗浄槽に収納され、被洗浄物を収容する上食器かごと下食器かごとの上下２段の食器かごとを備え、前記上食器かごは、被洗浄物をセットする時の姿勢を保ったまま、前記洗浄槽に設けた支持部まわりに回動可能に構成したもので、食器かごに食器がセットされた状態でも、上食器かごに被洗浄物をセットしたまま、上食器かご全体を移動することによって、上食器かごで塞がれた下食器かごのスペースを空ける事ができ、上方から下食器かごに被洗浄物を容易に食器をセットしたり取り出したりすることができるために、食器洗い機の使い勝手を大幅に向上することができる。
【００１４】
第２の発明は、上記第１の発明において、上食器かごは上方に膨らんだ略円弧状の軌跡で移動可能としたもので、食器をセットする棚部分がベース部分に回転自在に取り付いた上食器かごがベース部分にある回転支持部を中心に、上方に膨らんだ略円弧状の軌跡で棚部分にセットされた食器の姿勢を保ちながら移動するので、下食器かごにセットされた上食器かごのない側の背の高い食器と上食器かごが干渉せずに、軌跡が逃げて移動することができるため、食器洗い機の使い勝手を大幅に向上することができる。
【００１５】
第３の発明は、上記第１または第２の発明において、洗浄槽に略円弧状の溝部を設け、上食器かごを前記溝部に沿って移動可能としたもので、上食器かごのベース部分を回転支持部を中心に回転させながら、棚部分の上食器かごの移動軌跡が略円弧状で溝に沿うことによってほぼ食器の姿勢が変わらない状態にできるために、食器洗い機の使い勝手を大幅に向上することができる。
【００１６】
第４の発明は、上記第３の発明において、上食器かごは、洗浄槽の溝部と係合する回転自在な摺動部材を備えたもので、上食器かごの棚部分に取り付けられた回転可能な摺動部材により洗浄槽に取り付けたガイドの溝部の間をスムーズに移動することができるため、ベース部分と棚部分からなる上食器かご全体を移動させる際の操作性がよい食器洗い機を提供することができる。
【００１７】
第５の発明は、上記第３または第４の発明において、洗浄槽の溝部に少なくとも１箇所以上の係止部を設けたもので、上食器かごの棚部分の移動軌跡が略円弧状でもガイドの溝部分の下側に設けた凹状の係止部で上食器かごを静置することが可能となるため、食器洗い機の使い勝手を大幅に向上することができる。
【００１８】
以下、本発明の実施の形態について、図面を参照しながら説明する。なお、従来例と同じ構成のものは同一符号を付して説明を省略する。また、この実施の形態によって本発明が限定されるものではない。
【００１９】
（実施の形態１）
図１〜図５に示すように、食器洗い機本体１は、内部に洗浄槽２を設けており、この洗浄槽２は上方に開放していて、食器洗い機本体１から引き出すと、上方からの食器８ａ、８ｂの出し入れが可能となっている。また、洗浄槽２の中には、上下２段からなる上食器かご１３と下食器かご１４を設置している。上食器かご１３は、下食器かご１４の一部を覆うように構成されていて、覆われていない部分は、覆われている部分より背の高い食器８ｂがセットできるように構成されている。
【００２０】
この上食器かご１３は、図１に示すように、ベース部分１３ａと背の低い食器を置く棚部分１３ｂからなり、棚部分１３ｂはベース部分１３ａに回転自在に取り付けられている。また、ベース部分１３ａは、洗浄槽２の内側面に取り付けられた回転支持部２ａを中心に回転自在に取り付けられている。そして、上食器かご１３の棚部分１３ｂの一部には摺動部材１５が取り付けてある。
【００２１】
図２および図３に示すように、洗浄槽２の側壁に上方に膨らんだ略円弧状に取り付けられた２本のリブからなるガイド１６は溝を形成していて、その間を棚部分１３ｂが食器８ｃをセットした時の姿勢を保ったまま移動可能であるように設置されている。
【００２２】
また、図４に示すように、ガイド１６の下側には、所々に摺動部材１５を引っ掛けることができる複数個の凹部１８が設けられている。そして、移動軌跡の最終地点では、図５に示すように、上食器かご１３が軌跡を逸脱しないように、溝の末端は閉じて形成してあり、そこに凹部１８ａを設けている。
【００２３】
上記構成において動作、作用を説明する。まず、図２（ａ）に示すように、上食器かご１３の棚部分１３ｂに食器８ｃをセットする。
【００２４】
次に、上食器かご１３の真下にあたる下食器かご１４のスペースに被洗浄物８ａをセットするには、まずベース部分１３ａを回転支持部２ａを中心に回転させる。
【００２５】
すると、棚部分１３ｂは、その姿勢を保ったまま、ベース部分１３ａとともに回転し、棚部分１３ｂに取り付けられた摺動部材１５が略円弧状のガイド１６の溝を下食器かご１４にセットされた食器類をよけながら、ガイド１６の溝に従ってガイド１６の下側の最終移動させる部分の凹部１８ａの所まで摺動部材１５を移動させ、凹部１８ａに摺動部材１５を引っ掛けて静置させる。この状態は、図２（ｂ）および図５に示すようになり、ガイド１６の最終地点は末端が閉じた形状にしているので、行き過ぎることなく、上食器かご１３が、ガイド１６の溝から外れることもない。
【００２６】
また、ガイド１６の所々に図４に示すような凹部１８を複数設けているので、この凹部１８に棚部分１３ｂの摺動部材１５を係止することにより、途中でも上食器かご１３を止めておくことができる。また、摺動部材１５は回転ローラで構成してあり、ガイド１６の溝の間を楽に摺動させることができるので、移動動作をスムーズで軽くできる。
【００２７】
このようにして、上食器かご１３を移動させることにより、下食器かご１４の真上のスペースを空けることができ、空いたスペースから下食器かご１４に被洗浄物をセットすることができるようになる。さらに、上食器かご１３に被洗浄物をセットしていない場合は、上食器かご１３の棚部分１３ｂを洗浄槽２の側壁方向に上に持ち上げながら折りたたむことにより、下食器かご１４の真上のスペースがほぼ全面開放されることになり、洗浄槽２の上方開口から下食器かご１４に被洗浄物をセットしたり、取り出したりすることが可能となる。
【００２８】
以上のように、本実施の形態においては、上食器かごを被洗浄物のセットした姿勢を保ったままで移動可能としたので、上食器かごに被洗浄物をセットしたまま、その下の下食器かごに食器をセットすることが容易となり、上食器かご１３の被洗浄物を一旦片付けるか、下食器かご１４をセットし終わるまで、上食器かご１３に被洗浄物８ｃが置けないといったことがなくなり、無理やり上食器かご１３を持ち上げながら、下食器かご１４に食器を入れようとすることもなくなる。また、ガイド１６の軌跡が略円弧状なので、背の高い食器が上食器かご１４の移動軌跡上に来ないように、上食器かご１４を移動させることができるので、食器洗い機の使い勝手を格段に向上することが可能となる。また、上食器かご１３を上に持ち上げながら折りたたむことによって、上食器かご１３が覆っていた下食器かご１４のスペースがほぼ全面開放され、下食器かご１４に自由に被洗浄物のセットや取り出しができるようになる。
【００２９】
なお、本実施の形態では、上方に開口を有する洗浄槽を有する食器洗い機としたが、前方に開口を有する食器洗い機においても、上下２段の食器かごを備えたタイプでは同様の課題があり、同様の効果が得られる。
【産業上の利用可能性】
【００３０】
以上のように、本発明にかかる食器洗い機は、上下２段の食器かごを備えた食器洗い機において、上食器かごは被洗浄物をセットした状態でその姿勢をほぼ保ったままで移動可能とすることができるようにしたことによって、上食器かごで塞がれた下食器かごのスペースを空ける事ができ、上方から下食器かごに被洗浄物を容易にセットしたり取り出したりすることができるために、食器洗い機の使い勝手を大幅に向上することができるので、食器等の被洗浄物に洗浄水を噴射して洗浄する食器洗い機として有用である。
【図面の簡単な説明】
【００３１】
【図１】（ａ）本発明の実施の形態１の食器洗い機の上食器かごを折りたたんだ状態の縦断面図（ｂ）同食器洗い機の上食器かごをガイドに係合した状態の縦断面図
【図２】（ａ）同食器洗い機の上食器かごに食器をセットした状態の縦断面図（ｂ）同食器洗い機の上食器かごをガイドの末端まで移動させた状態の縦断面図
【図３】同食器洗い機の平面断面図
【図４】同食器洗い機の要部拡大図
【図５】同食器洗い機の要部拡大図
【図６】従来の食器洗い機の縦断面図
【符号の説明】
【００３２】
２  洗浄槽
２ａ  支持部
１３  上食器かご
１４  下食器かご
１５  摺動部材
１６  ガイド
１８  凹部（係止部）
【図１】
2006081803.tif 000003
【図２】
2006081803.tif 000004
【図３】
2006081803.tif 000005
【図４】
2006081803.tif 000006
【図５】
2006081803.tif 000007
【図６】
2006081803.tif 000008